(57)【要約】【課題】光エネルギーの利用効率の向上を図ることができる表示装置を提供すること。【解決手段】表示装置（１０）は、光が照射され直線偏光が透過する表示素子（２２）を備えている。表示素子（２２）の一部の領域を透過した光を第１の表示光（Ｌ１）とし、表示素子（２２）の他の領域を透過した光を第２の表示光（Ｌ２）とした場合に、第２の表示光（Ｌ２）の光路上には、表示素子（２２）を透過した第２の表示光（Ｌ２）が透過する偏光板（２５）が配置されている。偏光板（２５）は、表示素子（２２）を透過した第２の表示光（Ｌ２）の電界振動方向に対して、λ／２の位相差が与えられた光を反射する。【選択図】図１
2020012986.tif 000002
【特許請求の範囲】
【請求項１】
光が照射され直線偏光が透過する表示素子を備え、この表示素子を透過した光をスクリーン部に投射する表示装置において、
前記表示素子の一部の領域を透過した光を第１の表示光とし、前記表示素子の他の領域を透過した光を第２の表示光とした場合に、
前記第２の表示光の光路上には、
前記表示素子を透過した前記第２の表示光が透過する偏光板と、
この偏光板を透過した前記第２の表示光が入射すると共に、入射した前記第２の表示光の電界振動方向に１／４λの位相差を与える１／４波長板と、
この１／４波長板を透過した前記第２の表示光を、前記１／４波長板を介して前記偏光板に向かって反射する反射ミラーと、
が配置され、
前記偏光板は、前記表示素子を透過した前記第２の表示光の電界振動方向に対して、λ／２の位相差が与えられた光を反射することを特徴とする表示装置。
【請求項２】
前記反射ミラーで反射され、前記偏光板に入射する前記第２の表示光は、Ｓ偏光であることを特徴とする請求項１記載の表示装置。
【発明の詳細な説明】
【技術分野】
【０００１】
本発明は、スクリーン部に光を投射し情報を提供することができる表示装置に関する。
【背景技術】
【０００２】
車両には、フロントガラス等のスクリーン部に光を投射させて運転者に必要な情報を提供する表示装置（ヘッドアップディスプレイ装置）が搭載されることがある。表示装置には、光源から出射された光をスクリーン部まで導く光学素子が設けられている。このような表示装置の従来技術として特許文献１に開示される技術がある。
【０００３】
特許文献１に示されるような表示装置は、光が照射され光が透過する表示素子と、この表示素子の一部の領域を透過した光が入射するハーフミラーと、このハーフミラーに向かって表示素子の他の領域を透過した光を反射する反射ミラーと、を備えている。
【０００４】
一部の領域を透過した光は、ハーフミラーで反射され、フロントガラスに投射される。
【０００５】
一方、他の領域を透過した光は、反射ミラーを介してハーフミラーを透過し、フロントガラスに投射される。反射ミラーを介しているため、他の領域を透過した光の光路は、一部の領域を透過した光の光路と比べて、反射ミラー及びハーフミラーの距離の分だけ長くなる。
【０００６】
運転者は、一部の領域を透過した光がフロントガラスに投射されると第１の像、他の領域を透過した光がフロントガラスに投射されると第２の像、を認識する。他の領域を透過した光の光路の方が長いため、第１の像よりも奥側（前方）において第２の像を認識する。
【先行技術文献】
【特許文献】
【０００７】
【特許文献１】特開２０１３−２１４００８号公報
【発明の概要】
【発明が解決しようとする課題】
【０００８】
特許文献１に示されるような表示装置には、ハーフミラーが用いられている。ハーフミラーは、照射された光の一部を反射させ、残りの一部を透過させる。このため、表示素子を透過した際よりも、スクリーン部に投射される光が弱くなる。このため、光エネルギーの利用効率が悪い。
【０００９】
本発明は、光エネルギーの利用効率の向上を図ることができる表示装置の提供を課題とする。
【課題を解決するための手段】
【００１０】
請求項１による発明によれば、光が照射され直線偏光が透過する表示素子を備え、この表示素子を透過した光をスクリーン部に投射する表示装置において、
前記表示素子の一部の領域を透過した光を第１の表示光とし、前記表示素子の他の領域を透過した光を第２の表示光とした場合に、
前記第２の表示光の光路上には、
前記表示素子を透過した前記第２の表示光が透過する偏光板と、
この偏光板を透過した前記第２の表示光が入射すると共に、入射した前記第２の表示光の電界振動方向に１／４λの位相差を与える１／４波長板と、
この１／４波長板を透過した前記第２の表示光を、前記１／４波長板を介して前記偏光板に向かって反射する反射ミラーと、
が配置され、
前記偏光板は、前記表示素子を透過した前記第２の表示光の電界振動方向に対して、λ／２の位相差が与えられた光を反射することを特徴とする表示装置が提供される。
【００１１】
請求項２に記載のごとく、好ましくは、前記反射ミラーで反射され、前記偏光板に入射する前記第２の表示光は、Ｓ偏光である。
【発明の効果】
【００１２】
請求項１に係る発明では、１／４波長板を透過した第２の表示光を、１／４波長板を介して偏光板に向かって反射する反射ミラーが配置されている。更に、偏光板は、表示素子を透過した第２の表示光の電界振動方向に対して、λ／２の位相差が与えられた光を反射する。反射ミラーが上記のように配置されることで、表示素子を透過した第２の表示光は、表示素子を透過し偏光板に到達するまでの間に、同一の１／４波長板を２回透過することとなる。つまり、電界振動方向に対して、１／４λ×２の位相差が与えられることになる。結果、第２の表示光は、偏光板及び反射ミラーの間を往復し、偏光板により反射される。偏光板及び反射ミラーを往復した分、第２の表示光の光路は、第１の表示光の光路よりも長くなる。更に、このような構成によればハーフミラーが不要となる。つまり、ハーフミラーを用いることなく、第２の表示光の光路を長くすることができる。第１の表示光の光路及び第２の表示光の光路の長さがそれぞれ異なる表示装置において、スクリーン部に投射される光が弱まることを抑制することができる。即ち、光エネルギーの利用効率の向上を図ることができる。
【００１３】
請求項２に係る発明では、反射ミラーで反射され、偏光板に入射する第２の表示光は、Ｓ偏光である。Ｓ偏光は、入射面に対して垂直方向に振動しているＰ偏光と比べて、境界面での反射における反射率が高い。つまり、偏光板に入射する第２の表示光をＳ偏光とすることで、スクリーン部に投射される光が弱まることをより抑制することができる。即ち、より光エネルギーの利用効率の向上を図ることができる。
【図面の簡単な説明】
【００１４】
【図１】本発明の実施例１による表示装置の断面図である。
【図２】図１に示された表示ユニット周辺の拡大図である。
【図３】表示素子と反射ミラーとの距離の変化によって生ずる、第１の像と第２の像との距離の変化を説明する図である。
【図４】実施例２による表示ユニット周辺の拡大図である。
【図５】実施例２による表示装置の作用を説明する図である。
【発明を実施するための形態】
【００１５】
本発明の実施の形態を添付図に基づいて以下に説明する。なお、説明中、左右とは車両の乗員を基準として左右、前後とは車両の進行方向を基準として前後を指す。また、図中Ｆｒは前、Ｒｒは後、Ｌｅは乗員から見て左、Ｒｉは乗員から見て右、Ｕｐは上、Ｄｎは下を示している。
＜実施例１＞
【００１６】
図１を参照する。表示装置１０は、例えば、車両Ｖｅに搭載され、光を車両ＶｅのフロントガラスＦ（スクリーン部Ｆ）に投射する。運転者Ｍｎは、フロントガラスＦに投射された光から、車速やナビゲーション情報等の情報を得ることができる。
【００１７】
表示装置１０は、箱状を呈するケース１１と、このケース１１内に設けられ光を出射する表示ユニット２０と、この表示ユニット２０から出射された光を反射する平面鏡１２と、この平面鏡１２が反射した光をフロントガラスＦに向かって反射する凹面鏡１３と、表示ユニット２０を制御する制御部１４と、を有している。
【００１８】
表示装置１０は、第１の表示光Ｌ１、及び、第２の表示光Ｌ２をフロントガラスＦに投射する。第１〜第２の表示光Ｌ１、Ｌ２が投射されることによって、運転者Ｍｎは、フロントガラスＦの前方に像が２つ投影されているように認識する。以下、認識する２つの像のうち一方を第１の像Ｉ１といい、他方を第２の像Ｉ２という。より詳細には、第１の表示光Ｌ１の投射により運転者Ｍｎが認識する像を第１の像Ｉ１といい、第２の表示光Ｌ２の投射により運転者Ｍｎが認識する像を第２の像Ｉ２という。
【００１９】
ケース１１は、上部が開口している下ケース１１ａと、この下ケース１１ａに被せられた上ケース１１ｂと、この上ケース１１ｂに嵌め込まれ透明な樹脂からなるカバー１１ｃと、を有している。
【００２０】
下ケース１１ａ及び上ケース１１ｂは、遮光性を有する合成樹脂によって形成されている。
【００２１】
図２を参照する。表示ユニット２０は、光を出射する光源２１と、この光源から出射された光が透過する表示素子２２と、この表示素子２２の一部の領域（上部の領域）を透過した第１の表示光Ｌ１を反射するミラー２３と、表示素子２２の他の領域（下部の領域）を透過した第２の表示光Ｌ２が入射する１／２波長板２４と、この１／２波長板２４を透過した第２の表示光Ｌ２が透過する偏光板２５と、この偏光板２５を透過した第２の表示光Ｌ２が透過する１／４波長板２６と、この１／４波長板２６を透過した第２の表示光Ｌ２を偏光板２５に向かって反射する反射ミラー２７と、を有している。
【００２２】
図１を参照する。第１の表示光Ｌ１は、表示素子２２の一部の領域を透過した光であり、第２の表示光Ｌ２は、表示素子２２の他の領域を透過した光である。つまり、一部の領域を透過した光によって第１の像Ｉ１が認識され、他の領域を透過した光によって第２の像Ｉ２が認識される。ここで、第２の表示光Ｌ２の光路は、表示素子２２からフロントガラスＦまでの間において、第１の表示光Ｌ１の光路よりも長くなっている。このため、第２の像Ｉ２は、第１の像Ｉ１よりも奥側（前方）に投影されているよう認識される。
【００２３】
図２を参照する。光源２１は、平板状の基板２１ａにＬＥＤ製のランプ２１ｂが実装された構造をしている。光源２１は、表示素子２２に対して光を照射する。尚、光源２１は、表示素子２２に光を照射することができるものであれば何でも良く、ＬＥＤ製のランプ２１ｂを用いたものに限られない。
【００２４】
表示素子２２は、光源２１から出射された光のうち、一方向に振動する光を透過させる。表示素子２２を透過した光は直線偏光である、といえる。ここで、表示素子２２は、ミラー２３に入射する第１の表示光Ｌ１が、入射面に対して水平方向に振動するＳ偏光となるよう光を透過する。更に、表示素子２２は、１／２波長板２４に入射する第２の表示光Ｌ２が、入射面に対して垂直方向に振動するＳ偏光となるよう光を透過する。表示素子２２には、例えば、ＴＦＴ（Thin Film Transistor）液晶パネル等の透過型表示素子が用いられる。
【００２５】
ミラー２３は、樹脂製のミラー基材２３ａと、このミラー基材２３ａの表面に蒸着されたミラー反射部２３ｂと、からなるフルミラーである。
【００２６】
ミラー２３は、第２の表示光Ｌ２の光路を避けるように配置されている。
【００２７】
ミラー基材２３ａは、平板状を呈し、表示素子２２に対して４５度傾けられて配置されている。
【００２８】
ミラー反射部２３ｂは、アルミニウム等の金属が薄膜状に蒸着されることにより形成された部位であり、入射した第１の表示光Ｌ１を上方（平面鏡１２（図１参照））に向かって反射する。尚、ミラー反射部２３ｂを形成する金属は、アルミニウムに限られず、例えば、銀であっても良い。
【００２９】
１／２波長板２４は、入射した第２の表示光Ｌ２の電界振動方向（以下、電界振動方向のことを単に振動方向とも表現する。）に１／２λの位相差を与える。つまり、１／２波長板２４は、入射した第２の表示光Ｌ２の振動方向を９０度変化させる。１／２波長板２４は、Ｓ偏光として入射する第２の表示光Ｌ２の振動方向を９０度変化させる。これにより、第２の表示光Ｌ２は、Ｐ偏光として偏光板２５に入射することとなる。
【００３０】
偏光板２５は、入射した第２の表示光Ｌ２の振動する方向によって、第２の表示光Ｌ２を反射又は透過する。より詳細には、偏光板２５は、所定方向に振動する第２の表示光Ｌ２を透過し、所定方向から９０度変化された方向に振動する第２の表示光Ｌ２を反射する。つまり、偏光板２５を透過できる光に対して電界振動方向にλ／２の位相差が与えられると、λ／２の位相差が与えられた第２の表示光Ｌ２は、偏光板２５にて反射されることになる。即ち、Ｐ偏光を透過し、Ｓ偏光を反射する、ということもできる。尚、偏光板２５は、表示素子２２に対して１３５度傾けられた状態で配置されている。
【００３１】
後述するが、偏光板２５は、反射ミラー２７で反射された第２の表示光Ｌ２を平面鏡１２（図１参照）に向かって反射する。
【００３２】
１／４波長板２６は、入射した第２の表示光Ｌ２の電界振動方向に１／４λの位相差を与える。つまり、入射した直線偏光を円偏光に変え、入射した円偏光を直線偏光に変える。１／４波長板２６は、偏光板２５及び反射ミラー２７の間に配置されている。
【００３３】
反射ミラー２７は、樹脂製の反射ミラー基材２７ａと、この反射ミラー基材２７ａの表面に形成された反射ミラー反射部２７ｂと、からなるフルミラーである。
【００３４】
反射ミラー基材２７ａは、平板状を呈し、第２の表示光Ｌ２が反射ミラー反射部２７ｂに対して垂直に入射するよう配置されている。
【００３５】
反射ミラー反射部２７ｂは、入射した第２の表示光Ｌ２を、１／４波長板２６を介して偏光板２５に向かって反射する。反射ミラー反射部２７ｂは、アルミニウム等の金属が薄膜状に蒸着されることにより形成されてなる。尚、反射ミラー反射部２７ｂを形成する金属は、アルミニウムに限られることはなく、例えば、銀であっても良い。
【００３６】
１／２波長板２４、偏光板２５、１／４波長板２６及び反射ミラー２７は、それぞれ第２の表示光Ｌ２の光路上に設けられている。１／２波長板２４、偏光板２５、１／４波長板２６及び反射ミラー２７は、表示素子２２の他の領域を透過した第２の表示光Ｌ２が、偏光板２５の裏面２５ａから表面２５ｂに向かって透過し、偏光板２５及び反射ミラー２７との間を往復し、偏光板２５にて反射されるように配置されている。偏光板２５は、反射ミラー２７で反射された第２の表示光Ｌ２を平面鏡１２（図１参照）に向かって反射する。
【００３７】
図１を参照する。平面鏡１２は、上ケース１１ｂに固定された平面鏡支持部１２ａと、この平面鏡支持部１２ａに回転可能に支持された平面鏡ベース部１２ｂと、この平面鏡ベース部１２ｂの表面に形成され第１の表示光Ｌ１及び第２の表示光Ｌ２を反射する平面鏡反射部１２ｃと、からなるフルミラーである。
【００３８】
平面鏡ベース部１２ｂは、樹脂製であり、平板状を呈している。
【００３９】
平面鏡反射部１２ｃは、第１の表示光Ｌ１及び第２の表示光Ｌ２を、凹面鏡１３に向かって反射する。平面鏡反射部１２ｃは、アルミニウム等の金属が薄膜状に形成されてなる。尚、平面鏡反射部１２ｃを形成する金属は、アルミニウムに限られず、例えば、銀であっても良い。
【００４０】
凹面鏡１３は、下ケース１１ａに固定された凹面鏡支持部１３ａと、この凹面鏡支持部１３ａに回転可能に支持された凹面鏡ベース部１３ｂと、この凹面鏡ベース部１３ｂの表面に形成され第１の表示光Ｌ１及び第２の表示光Ｌ２を反射する凹面鏡反射部１３ｃと、からなる。
【００４１】
凹面鏡ベース部１３ｂは、樹脂製であり、凹形状を呈している。
【００４２】
凹面鏡反射部１３ｃは、平面鏡反射部１２ｃで反射された第１〜第２の表示光Ｌ１、Ｌ２をフロントガラスＦに向かって反射する。凹面鏡反射部１３ｃを介して第１〜第２の表示光Ｌ１、Ｌ２を投射させることで、第１〜第２の表示光Ｌ１、Ｌ２をフロントガラスＦに直接投射した場合と比べて、第１〜第２の像Ｉ１、Ｉ２が拡大される。凹面鏡反射部１３ｃは、アルミニウム等の金属が薄膜状に蒸着されることによって形成されている。尚、凹面鏡反射部１３ｃを形成する金属は、アルミニウムに限られず、例えば、銀であっても良い。
【００４３】
フロントガラスＦは、例えば、運転者Ｍｎの前方に設けられた風防ガラスである。このフロントガラスＦに第１〜第２の表示光Ｌ１、Ｌ２が投射されることで、運転者Ｍｎは、前方に第１〜第２の像Ｉ１、Ｉ２を認識する。
【００４４】
制御部１４は、光源２１の点滅を制御する。更に、制御部１４は、表示素子２２を電圧制御し、表示素子２２を構成する結晶の分子配列を変化させる。表示素子２２が制御部１４に制御されることで、フロントガラスＦに任意の第１〜第２の像Ｉ１、Ｉ２が投影される。
【００４５】
次に、実施例１による表示装置の作用を説明する。
【００４６】
図１を参照する。運転者Ｍｎは、表示素子２２の一部の領域を透過した第１の表示光Ｌ１がフロントガラスＦに投射されることで第１の像Ｉ１、表示素子２２の他の領域を透過した第２の表示光Ｌ２がフロントガラスＦに投射されることで第２の像Ｉ２、を認識する。これにより、車速やナビゲーション情報等の情報を得ることができる。
【００４７】
図２を参照する。表示素子２２は、光源２１から出射された光のうち一方向に振動する光を透過させる。つまり、表示素子２２を透過した第１の表示光Ｌ１及び第２の表示光Ｌ２は、それぞれ直線偏光である、といえる。表示素子２２を透過する光の振動方向については、制御部１４により制御する。
【００４８】
表示素子２２の一部の領域を透過した第１の表示光Ｌ１は、入射面に対して水平方向に振動するＳ偏光として、ミラー２３に入射する。制御部１４は、第１の表示光Ｌ１がＳ偏光としてミラー２３に入射するように、表示素子２２を制御している。ミラー２３に入射した第１の表示光Ｌ１は、平面鏡１２（図１参照）に向かって反射される。Ｓ偏光は、入射面に対して垂直方向に振動するＰ偏光と比べて、光の反射率が高い。このため、ミラー２３での反射において、光エネルギーの損失が抑制される。
【００４９】
表示素子２２の他の領域を透過した第２の表示光Ｌ２は、Ｓ偏光として１／２波長板２４に入射する。１／２波長板２４は、入射した第２の表示光Ｌ２の電界振動方向に１／２λの位相差を与え、第２の表示光Ｌ２の振動方向を９０度変化させる。このため、１／２波長板２４を透過した第２の表示光Ｌ２は、Ｐ偏光として裏面２５ａから偏光板２５に入射する。その後、偏光板２５に入射した第２の表示光Ｌ２は、偏光板２５を透過する。
【００５０】
偏光板２５を透過した第２の表示光Ｌ２の光路上には、１／４波長板２６及び反射ミラー２７がこの順に配置されている。第２の表示光Ｌ２は、１／４波長板２６を透過した後、反射ミラー２７によって再び１／４波長板２６を透過するよう偏光板２５に向かって反射される。第２の表示光Ｌ２は、１／４波長板２６を２回通過するよう偏光板２５及び反射ミラーの間を往復する、ことになる。これにより、１／４λ×２の位相差が第２の表示光Ｌ２に与えられ、第２の表示光Ｌ２は、偏光板２５により平面鏡１２（図１参照）に向かって反射される、ことになる。尚、第２の表示光Ｌ２は、Ｓ偏光として偏光板２５に入射し、偏光板２５にて反射される。このため、偏光板２５での反射において、光エネルギーの損失が抑制される。
【００５１】
図１を併せて参照する。尚、第２の表示光Ｌ２の光路は、ミラー２３及びフロントガラスＦまでの間において、第１の表示光Ｌ１の光路に沿っている。
【００５２】
図３を参照する。図３には、偏光板２５及び反射ミラー２７の距離を異なられた場合の図が示されている。図３（ａ）を参照する。偏光板２５及び反射ミラー２７の距離がＡ１となるよう配置されている。距離Ａ１を第２の表示光Ｌ２が往復するため、第２の表示光Ｌ２の光路はＡ１×２だけ長くなる。このような場合、運転者Ｍｎが認識する第１の像Ｉ１及び第２の像Ｉ２の間隔はＤ１だけ開くことになる。
【００５３】
図３（ｂ）を参照する。偏光板２５及び反射ミラー２７の距離がＡ２（Ａ２＞Ａ１）となるよう配置されている。距離Ａ２を第２の表示光Ｌ２が往復するため、第２の表示光Ｌ２の光路はＡ２×２だけ長くなる。このような場合、運転者Ｍｎが認識する第１の像Ｉ１及び第２の像Ｉ２の間隔は、Ｄ２（Ｄ２＞Ｄ１）だけ開くことになる。即ち、偏光板２５及び反射ミラー２７の距離を変えるだけで、認識される像の位置を異ならせることができる。
【００５４】
次に、実施例１による表示装置の効果を説明する。
【００５５】
図１を参照する。表示装置１０においては、１／４波長板２６を透過した第２の表示光Ｌ２を、１／４波長板２６を介して偏光板２５に向かって反射する反射ミラー２７が配置されている。更に、偏光板２５は、表示素子２２を透過した第２の表示光Ｌ２の電界振動方向に対して、λ／２の位相差が与えられた光を反射する。反射ミラー２７が上記のように配置されることで、表示素子２２を透過した第２の表示光Ｌ２は、表示素子２２を透過し偏光板２５に到達するまでの間に、同一の１／４波長板２６を２回透過することとなる。つまり、電界振動方向に対して、１／４λ×２の位相差が与えられることになる。結果、第２の表示光Ｌ２は、偏光板２５及び反射ミラー２７の間を往復し、偏光板２５により反射される。偏光板２５及び反射ミラー２７を往復した分、第２の表示光Ｌ２の光路は、第１の表示光Ｌ１の光路よりも長くなる。更に、このような構成によればハーフミラーが不要となる。つまり、ハーフミラーを用いることなく、第２の表示光Ｌ２の光路を長くすることができる。第１の表示光Ｌ１の光路及び第２の表示光Ｌ２の光路の長さがそれぞれ異なる表示装置１０において、スクリーン部Ｆに投射される光が弱まることを抑制することができる。即ち、光エネルギーの利用効率の向上を図ることができる。
【００５６】
更に、反射ミラー２７で反射され、偏光板２５に入射する第２の表示光Ｌ２は、Ｓ偏光である。Ｓ偏光は、入射面に対して垂直方向に振動しているＰ偏光と比べて、境界面での反射における反射率が高い。つまり、偏光板２５に入射する第２の表示光Ｌ２をＳ偏光とすることで、スクリーン部Ｆに投射される光が弱まることをより抑制することができる。即ち、より光エネルギーの利用効率の向上を図ることができる。
＜実施例２＞
【００５７】
次に、本発明の実施例２を図面に基づいて説明する。
【００５８】
図４を参照する。図４は、表示装置１０Ａの実施例２における断面図であり、上記図２に対応させて表している。実施例２による表示装置１０Ａにおいては、実施例１による表示ユニット２０の構成が変わっている。具体的には、実施例１によるミラー２３が設けられておらず、替わりに第２の表示光Ｌ２の光路上に光を反射する部品（反射部材２８Ａ）が設けられている。その他の基本的な構造については、実施例１による表示装置１０と共通する。実施例１と共通する部分については、符号を流用すると共に詳細な説明を省略する。
【００５９】
表示ユニット２０Ａは、光を出射する光源２１と、この光源から出射された光が透過する表示素子２２と、この表示素子２２の他の領域（下部の領域）を透過した第２の表示光Ｌ２が入射する１／２波長板２４と、この１／２波長板２４を透過した第２の表示光Ｌ２が透過する偏光板２５と、この偏光板２５を透過した第２の表示光Ｌ２が透過する１／４波長板２６と、この１／４波長板２６を透過した第２の表示光Ｌ２を偏光板２５に向かって反射する反射ミラー２７と、この反射ミラー２７で反射された第２の表示光Ｌ２が偏光板２５を介して入射する反射部材２８Ａと、を有している。
【００６０】
反射部材２８Ａは、樹脂製の基材２８Ａａの表面に反射部材反射部２８Ａｂが形成された、フルミラーである。
【００６１】
反射部材反射部２８Ａｂは、アルミニウム等の金属が薄膜状に蒸着されることにより形成された部位であり、入射した第２の表示光Ｌ２を上方（平面鏡１２（図１参照））に向かって反射する。尚、反射部材反射部２８Ａｂを形成する金属は、アルミニウムに限られず、例えば、銀であっても良い。
【００６２】
反射部材反射部２８Ａｂによって反射された第２の表示光Ｌ２の光路は、スクリーン部Ｆ（図１参照）までの間、第１の表示光Ｌ１の光路に沿っている。
【００６３】
次に、実施例２による表示装置の作用を説明する。
【００６４】
表示素子２２を透過した第２の表示光Ｌ２は、偏光板２５を透過し、偏光板２５及び反射ミラー２７の間を往復する。その後、第２の表示光Ｌ２は、偏光板２５によって反射され、反射部材２８Ａに入射すると共に反射部材２８Ａによって平面鏡１２（図１参照）に向かって反射される。表示ユニット２０Ａにはハーフミラーが用いられていない。
【００６５】
図５（ａ）を参照する。図５（ａ）には、実施例１の表示ユニット２０及び表示ユニット２０を通過する第１〜第２の表示光Ｌ１、Ｌ２の光路が示されている。第２の表示光Ｌ２は、偏光板２５及び反射ミラー２７の間を往復した後、第１の表示光Ｌ１に沿うように偏光板２５で反射される。偏光板２５及び反射ミラー２７の距離をＡ１とした場合、第２の表示光Ｌ２の光路は、第１の表示光Ｌ１の光路よりもＡ１×２だけ長くなる。
【００６６】
図５（ｂ）を参照する。図５（ｂ）には、実施例２の表示ユニット２０Ａ及び表示ユニット２０Ａを通過する第１〜第２の表示光Ｌ１、Ｌ２の光路が示されている。第２の表示光Ｌ２は、偏光板２５及び反射ミラー２７の間を往復した後、偏光板２５に反射される。その後、偏光板２５に反射された第２の表示光Ｌ２は、反射部材２８Ａに入射すると共に反射部材２８Ａによって反射される。偏光板２５及び反射ミラー２７の距離をＡ１とし、偏光板２５及び反射部材２８Ａの距離をＡ３とした場合、第２の表示光Ｌ２の光路は、第１の表示光Ｌ１の光路よりもＡ１×２＋Ａ３だけ長くなる。つまり、実施例１の場合よりも第２の表示光Ｌ２の光路の長さがＡ３だけ長くなる。
【００６７】
更に、反射部材２８Ａに対して第２の表示光Ｌ２をＳ偏光で入射させることで、第２の表示光Ｌ２の反射率を高めることができる。
【００６８】
従って、このように構成された実施例２の表示装置１０Ａにおいても、本発明所定の効果を得ることができる。
【００６９】
尚、本発明による表示装置が搭載される車両は、四輪車の他、二輪車又は三輪車であっても良い。更には、車両以外の乗り物や建機等にも適用可能である。
【００７０】
また、実施例に示されている平面鏡及び凹面鏡は、必須の構成要素ではない。従って、これらを必要に応じて廃しても良い。
【００７１】
また、実施例においては、スクリーン部をフロントガラスとして説明した。しかしながら、スクリーン部は、第１〜第２の表示光を投射することができるものであれば何でも良く、フロントガラスに限られない。本発明は、いわゆるコンバイナをスクリーン部とした表示装置にも適用することができる。
【００７２】
即ち、本発明の作用及び効果を奏する限りにおいて、本発明は、実施例に限定されるものではない。
【産業上の利用可能性】
【００７３】
本発明の表示装置は、車両に搭載するのに好適である。
【符号の説明】
【００７４】
１０…表示装置
２２…表示素子
２５…偏光板
２６…１／４波長板
２７…反射ミラー
Ｆ…フロントガラス（スクリーン部）
Ｌ１…第１の表示光
Ｌ２…第２の表示光
【図１】
2020012986.tif 000003
【図２】
2020012986.tif 000004
【図３】
2020012986.tif 000005
【図４】
2020012986.tif 000006
【図５】
2020012986.tif 000007